(57)【特許請求の範囲】
【請求項１】
４辺のそれぞれの端部に合決を有する外壁材を縦横方向に複数枚取り付ける際に、前記隣り合うそれぞれの合決の接合部に取り付けられる外壁材の留め付け治具であって、
（ａ）躯体側に固定される背面板と、
（ｂ）上下に接する外壁材の一方の合決の突出部と、上下に接する外壁材の他方の合決の溝または突出部と、に係止して上下に接する両方の外壁材を保持する係止片と、
（ｃ）前記背面板から、前記外壁材の裏面から離れる側に延設され、背面板と面一とならず前記背面板に対し段差をもって形成される固定面板であって、
（ｄ）前記固定面板に係止される、左右に配される外壁材の左右方向の動きを拘束する左右隔置板と、
からなることを特徴とする外壁材の留め付け治具。
【請求項２】
前記背面板は、隣接する胴縁間に掛け渡して固定されるものであって、
前記固定面板の長さは、前記固定面板が前記胴縁と干渉しないように、前記背面板の長さの３５〜９５％に設定される、
ことを特徴とする、請求項１に記載の外壁材の留め付け治具。
【請求項３】
４枚の４辺合決外壁材の縦辺および横辺の接合交差部に請求項１または２に記載の外壁材の留め付け治具を設け、
前記外壁材と前記躯体との間に留め付け部品による通気層を設けずに、前記外壁材と胴縁とが接する構成とし、
前記胴縁により通気層を設ける構成とする、
ことを特徴とする外壁材の留め付け構造。
【請求項４】
前記通気層は、前記外壁材の裏面と透湿防水シートの間に設けられる構成とする、
ことを特徴とする請求項３に記載の外壁材の留め付け構造。
【発明の詳細な説明】
【０００１】
【発明の属する技術分野】
本発明は、４辺合決外壁材の躯体への留め付け構造に係り、特に縦横の合決接合の交差部分の留め付け構造、およびそのための留め付け治具に関する。
【０００２】
【従来の技術】
建物外壁を構成する外装材として矩形パネル状の外壁材が用いられ、外壁面に縦横に並べて取り付けられる。このような外壁材同士の接合部（目地部）には、通常、防水および化粧用のシリコーン系シーリング材が充填される。
しかし、シーリング材で隙間を封止して外壁材同士を接続する湿式のジョイント構造では、シーリング材が劣化するため、耐候性、耐汚染性および耐久性の点で不充分であり、また外壁材との色のバランスによる意匠的な問題や変色等による外観の悪化等の問題がある。
そこで、湿式のシーリング材を充填することなく外壁材同士を連結してシーリング材の劣化の問題をなくすとともに現場での施工性を向上させるために、４辺に合決加工を施した外壁材が実用化されている。
【０００３】
図９は４辺合決外壁材の形状説明図であり、（Ａ）は斜視図、（Ｂ）は横断面図、（Ｃ）は縦断面図である。この外壁材１は、その上辺に表面側が切り欠かれた合決２（以下表合決という）が形成され、下辺にこれに対応して裏面側が切り欠かれた合決３（以下裏合決という）が形成され、右辺に表合決４が形成され、これに対応して左辺に裏合決５が形成されている。上辺の表合決２の上面端部である突出部には傾斜面６が形成され、この傾斜面６に対応した傾斜面７ａを有する溝７が下辺の裏合決３の隅部に形成されている。
【０００４】
なお、外壁材１の材質としては、たとえば、ＧＲＣ（ガラス繊維強化セメント）が例示され、外壁材１のサイズとしては、たとえば、縦横のサイズが４５５×１８２０ｍｍで厚さが１８ｍｍのものが例示される。
【０００５】
このような４辺合決外壁材の取り付け構造において、外壁材の寸法が、柱間のピッチと整合がとれたものとはなっておらず、左右に隣接する外壁材同士を柱以外の箇所で接合する場合であっても、外壁材同士に不陸を生ぜず、充分な保持強度を確保でき、かつ、躯体に水平方向の変位が加わった場合（地震等）にも、外壁材に目地ずれ、目地開きを生じさせない外壁材の留め付け部品および留め付け構造の発明が本願出願人によりなされている（特願２０００−３３７９８９号）。
【０００６】
該発明において、外壁材１、１…は図７、図８に示されるように固定される。すなわち、留め付け部品１０は、釘により柱１６に固定される背面板１１と、これと一体の板金を折り曲げて形成した（または、アルミニウムを押出し成形した）断面略Ｙ字状の係止部１２とを有する。Ｙ字状の係止部１２の係止片１２ａ、１２ｂの両片を下側の外壁材１の合決２の傾斜面６および上側の外壁材１の合決３の溝７の傾斜面７ａ（図９参照）に対し斜面上から押えて係止する。これにより、上下の外壁材１、１同士が連結されるとともに躯体側に固定される。なお、外壁材１、１の左右の動きは、左右隔置板１３により拘束される。
【０００７】
図１０は、図９の外壁材同士を横に並べたときの接合状態を示す。図示したように、左右の外壁材１、１同士がそれぞれの左右の合決４、５（図９参照）を接合して連結される。外壁材１の表面側には左右の外壁材１の合決４、５の表面側の突き合せ面に沿って縦目地１８が形成される。また、外壁材１の裏面側には、合決４、５の接合ラインに沿って縦方向に隙間８が形成される。これは、外壁材１の表面側同士を隙間なく突き合せて外観の向上を図るために、裏面側同士の突き合せ面に若干の隙間を設ける必要があるからである。
【０００８】
図１１は、図９の外壁材同士を縦に並べたときの接合状態を示す。図示したように、上下の外壁材１、１同士がそれぞれの上下の合決２、３（図９参照）を接合して連結される。外壁材１の表面側には上下の外壁材１の合決２、３の表面側の突き合せ面に沿って横目地１７が形成される。また、外壁材１の裏面側には、前述の図１０の場合と同様に、合決２、３の接合ラインに沿って横方向の隙間９が形成される。
【０００９】
このように、外壁材１を左右方向および上下方向に合決を介して接合して並べることにより、外壁材１の４辺が全て合決接合で連結され、施工後に目地部にシーリング材を充填することなく良好な防水性が保たれ、意匠性および施工性に優れた外装構造が得られる。
【００１０】
【発明が解決しようとする課題】
前記発明（特願２０００−３３７９８９）は、外壁材と柱（躯体）との間に留め付け部品により所定間隔の通気層を設ける施工法に適用した例である。一方、留め付け部品等による通気層を設けず、下地材（胴縁）により通気層を設ける施工法の場合には（外壁材と下地材とが接する構成）、前記発明に係る外壁材の留め付け部品は使用できない。
【００１１】
このような、下地材（胴縁）により通気層を設ける施工法には、図６に示される留め付け金具１４が使用されているが、前述のように、左右に隣接する外壁材同士を柱以外の箇所で接合する場合には対応できず、外壁材同士に不陸を生じたり、保持強度が不充分だったり、目地ずれ、目地開きを生じたりする。
【００１２】
【課題を解決するための手段】
本発明は前述の課題を解決するためになされたもので、
請求項１に記載のごとく、
４辺のそれぞれの端部に合決を有する外壁材を縦横方向に複数枚取り付ける際に、前記隣り合うそれぞれの合決の接合部に取り付けられる外壁材の留め付け治具であって、
（ａ）躯体側に固定される背面板と、
（ｂ）上下に接する外壁材の一方の合決の突出部と、上下に接する外壁材の他方の合決の溝または突出部と、に係止して上下に接する両方の外壁材を保持する係止片と、
（ｃ）前記背面板から、前記外壁材の裏面から離れる側に延設され、背面板と面一とならず前記背面板に対し段差をもって形成される固定面板であって、
（ｄ）前記固定面板に係止される、左右に配される外壁材の左右方向の動きを拘束する左右隔置板と、
からなることを特徴とする外壁材の留め付け治具、を提供する。
また、請求項３に記載のごとく、４枚の４辺合決外壁材の縦辺および横辺の接合交差部に請求項１または２に記載の外壁材の留め付け治具を設け、
前記外壁材と前記躯体との間に留め付け部品による通気層を設けずに、前記外壁材と胴縁とが接する構成とし、
前記胴縁により通気層を設ける構成とする、
ことを特徴とする外壁材の留め付け構造、を提供する。
また、請求項４に記載のごとく、前記通気層は、前記外壁材の裏面と透湿防水シートの間に設けられる構成とする、
ことを特徴とする外壁材の留め付け構造、を提供する。
【００１３】
この構成によれば、外壁材の寸法が、柱間のピッチと整合がとれたものとはなっておらず、左右に隣接する外壁材同士を下地材または柱以外の箇所で接合する場合であっても、外壁材同士に不陸を生ぜず、充分な保持強度も得られる。
また、留め付け治具は左右隔置板を有しており、これにより外壁材の左右方向の動きが拘束される。したがって、目地ずれ、目地開きを生じさせない。
さらに、該左右隔置板は、留め付け治具の背面板と面一とならない固定面板に固定されるので、固定の際に用いるネジ、釘等の頭部が外壁材の裏面と干渉しない。
【００１４】
本発明において、
請求項２に記載のごとく、
前記背面板は、隣接する胴縁間に掛け渡して固定されるものであって、
前記固定面板の長さは、前記固定面板が前記胴縁と干渉しないように、前記背面板の長さの３５〜９５％に設定される、ことが好ましい。
このような構成であれば、たとえば、背面板を隣接する下地材間に掛け渡して固定でき、かつ、固定面板が下地材（胴縁）と干渉しない。
【００１５】
【発明の実施の形態】
図１は、本発明の実施の形態に係る外壁材の留め付け治具２０の斜視図であり、また、図２は留め付け治具本体２０ａを、図３は左右隔置板２６をそれぞれ示す。留め付け治具本体２０ａは、従来の留め金具１４（図６参照）と異なり、長尺部材である。
【００１６】
すなわち、留め付け治具本体２０ａは、躯体側に固定される背面板２１と、一方の合決の上面の傾斜面６（図９（Ｃ）参照）と他方の合決の溝の傾斜面７ａ（図９（Ｃ）参照）とに係止して両方の外壁材を保持する係止片２２ａ、２２ｂを有する係止部２２と、背面板２１とから延設され、背面板２１と面一とならず背面板２１に対し段差をもって略平行に形成される固定面板２３と、で構成される。
【００１７】
留め付け治具本体２０ａの背面板２１は、長さＬ１が隣接する下地材２７、２７の間隔以上であることが好ましい。このように隣接する下地材２７、２７にわたって配設されることにより、外壁材１の寸法が下地材２７間のピッチと合わず、隣接する外壁材１、１が下地材２７、２７間で接合される場合に対応できる。
この構成により、外壁材同士に不陸を生ぜず、充分な保持強度も得られる。
【００１８】
留め付け治具本体２０ａの固定面板２３は、長さＬ２が背面板２１の長さＬ１の３５〜９５％であることが好ましい。このような構成であれば、たとえば、背面板２１を隣接する下地材２７、２７間に掛け渡して固定でき、かつ、固定面板２３が下地材２７と干渉しない（図５参照）。
【００１９】
たとえば、隣接する下地材間のピッチが５００ｍｍである場合、背面板２１の長さＬ１を６５０ｍｍ、固定面板２３の長さＬ２を３５０ｍｍとする。この場合、Ｌ２はＬ１の５４％となる。このような構成であれば、背面板２１を隣接する下地材２７、２７間に掛け渡して固定でき、かつ、固定面板２３が下地材２７と干渉しない
図３に示される左右隔置板２６は、固定面板２３に係止される固定片２６ａ、固定片２６ａに対し略直角をなして形成され、左右に配される外壁材１、１の左右方向の動きを拘束する隔置片２６ｂ、および固定片２６ａに設けられ、釘状部材、ビス等を嵌挿する孔２６ｃより構成される。そして、左右隔置板２６は、固定面板２３の長さＬ２方向の任意の位置にタッピンネジ２５により係止され（図１参照）、留め付け治具２０が構成される。
【００２０】
本発明に使用される留め付け治具本体２０ａの材質としては、各種金属材料が使用できる。このうち複雑な断面形状に対応できること、および、左右隔置板２６をビス等で固定面板２３に容易に留め付けできることより、アルミニウムの押し出し材が好ましい。左右隔置板２６の材質としては各種の金属材料が使用できるが、防銹性、強度の点でステンレス鋼が好ましい。
【００２１】
図２に示される留め付け治具本体２０ａおいて、背面板２１に設けられている浅い溝２１ａは、釘等を打ち込む目安となるラインであり、固定面板２３に設けられている浅い溝２３ａは、ビス等を打ち込む目安となるラインである。
【００２２】
以下、留め付け治具２０を、４枚の４辺合決外壁材の縦辺および横辺の接合交差部に設けた外壁材の留め付け構造について説明する。図４、図５は、それぞれ本発明の実施の形態に係る外壁材の留め付け治具および留め付け構造を説明する建物外壁部分の縦断面図および横断面図である。
【００２３】
図４、図５において、外壁材１、１…が横長で建物外壁に配されている。図４において、上側の外壁材１の合決の溝の傾斜面と下側の外壁材１の合決の上面の傾斜面とが、断面略Ｙ字状の係止部２２の係止片２２ａ、２２ｂに係止される。なお、上側の外壁材１の合決は必ずしも溝状に形成されず、下側の外壁材１の合決と同様な形状の傾斜面のみからなる構成であってもよい。
【００２４】
図５において、左側の外壁材１の右端および右側の外壁材１の左端は、下地材２７、２７（柱１６、１６）の中間部分で接合されている。外壁材１、１は、本発明の留め付け治具２０を介して下地材２７、２７（柱１６、１６）に留め付けされる。
【００２５】
図４、図５において、まず下地材２７、２７に跨って留め付け治具本体２０ａの背面板２１が釘２８により固定され、その後、左側の外壁材１が配される。次に左右隔置板２６が、隔置片２６ｂ（図３参照）を左側の外壁材１の右端に接するように配され、左右隔置板２６の固定片２６ａ（図３参照）が固定面板２３に、孔２６ｃに嵌挿されるタッピンネジ２５により固定される。
【００２６】
その後、右側の外壁材１が左端を左右隔置板２６の隔置片２６ｂに接するように配され、該部分の外壁工事は完了する。
このような構成で、左右隔置板２６が外壁材の左右方向の動きを拘束するので、躯体に水平方向の変位が加わった場合（地震等）でも、外壁材に目地ずれ、目地開きを生じない。
【００２７】
本発明の留め付け治具２０を使用すれば、固定面板２３が背面板２１と面一とならず背面板２１に対し段差をもって形成されているので、左右隔置板２６を固定面板２３に固定するタッピンネジ２５の頭部が外壁材１の裏面と干渉することはない。固定面板２３と背面板２１との段差は、タッピンネジ２５の頭部の厚さ以上であり、かつ、左右隔置板を固定する際に用いるネジ、釘等（タッピンネジ２５）で透湿防水シート１５に孔をあけるおそれがなければ特に制限はない（図４参照）。
【００２８】
以上の構成は例示であり、これら構成に限定されず、各種の構成が採り得る。
また、左右隔置板２６の構成、左右隔置板２６の固定面板２３への係止方法等も各種の方法が採用できる。たとえば、図１、図４に例示した、左右隔置板２６の固定面板２３への係止方法であるタッピンネジ２５は、工数が少なく好ましい係止手段であるが、それ以外の方法、たとえば、ネジとビスとの組合せ等、各種の方法が採用できる。
【００２９】
【発明の効果】
本発明により、外壁材の寸法が、下地材間のピッチと整合がとれたものとはなっておらず、左右に隣接する外壁材同士を下地材以外の箇所で接合する場合であっても、外壁材同士に不陸を生ぜず、充分な保持強度も得られる。
また、留め付け治具は左右隔置板を有しており、これにより外壁材の左右方向の動きが拘束される。したがって、目地ずれ、目地開きを生じさせない。
【００３０】
さらに、左右隔置板は、留め付け治具の背面板と面一とならない固定面板に固定されるので、下地材（胴縁）により通気層を設ける施工法の場合にも、左右隔置板を固定面板に固定するタッピンネジの頭部が外壁材の裏面と干渉することはない。
また、背面板と固定面板との段差を適正にとってあれば、左右隔置板を固定する際に用いるネジ、釘等で透湿防水シートに孔をあけるおそれがなく、防水性を損なうこともない。
【図面の簡単な説明】
【図１】本発明の実施の形態に係る外壁材の留め付け治具の斜視図。
【図２】本発明の実施の形態に係る外壁材の留め付け治具本体の斜視図。
【図３】本発明の実施の形態に係る左右隔置板の正面図および平面図。
【図４】本発明の実施の形態に係る外壁材の留め付け治具および留め付け構造を説明する建物外壁部分の縦断面図。
【図５】本発明の実施の形態に係る外壁材の留め付け治具および留め付け構造を説明する建物外壁部分の横断面図。
【図６】従来の外壁材の留め金具の説明図であり、（ａ）は正面図、（ｂ）は側面図。
【図７】通気工法による外壁材の留め付け治具および留め付け構造を説明する斜視図。
【図８】通気工法による外壁材の留め付け治具および留め付け構造を説明する建物外壁部分の縦断面図。
【図９】本発明が適用される外壁材の構成説明図。
【図１０】左右外壁材の短辺接合部の隙間形成の説明図。
【図１１】上下外壁材の長辺接合部の隙間形成の説明図。
【符号の説明】
１：外壁材
２、３、４、５：合決
６：傾斜面
７：溝
７ａ：傾斜面
８、９：隙間
１０：留め付け部品
１１：背面板
１２：係止片
１３：左右隔置板
１４：留め金具
１５：透湿防水シート
１６：柱（躯体）
１７：横目地
１８：縦目地
２０：留め付け治具
２０ａ：留め付け治具本体
２１：背面板
２２：係止部
２２ａ、２２ｂ：係止片
２３：固定面板
２５：タッピンネジ
２６：左右隔置板
２６ａ：固定片
２６ｂ：隔置片
２６ｃ：孔
２７：下地材（胴縁）
２８：釘
【図１】
0004630501.tif 000002
【図２】
0004630501.tif 000003
【図３】
0004630501.tif 000004
【図４】
0004630501.tif 000005
【図５】
0004630501.tif 000006
【図６】
0004630501.tif 000007
【図７】
0004630501.tif 000008
【図８】
0004630501.tif 000009
【図９】
0004630501.tif 000010
【図１０】
0004630501.tif 000011
【図１１】
0004630501.tif 000012